(57)【要約】【課題】杖本体の大径側の端部に握り部を安定して確実に取り付けた杖を提供する。【解決手段】一端部から他端部へテーパ状に縮径したカーボン製ゴルフクラブのシャフトによって形成した杖本体１と、一端が開口した挿入孔４を有すると共にその挿入孔４に杖本体１の大径側の端部１ｂを挿入して取り付けられた握り部３と、挿入孔内４に充填されて握り部３と杖本体とを接着する接着剤５と、挿入孔４の開口部を閉塞する環状のシール部材６によって構成した。【選択図】図２
0003146986.tif 000002
【実用新案登録請求の範囲】
【請求項１】
一端部から他端部へテーパ状に縮径したカーボン製ゴルフクラブのシャフトによって形成した杖本体と、一端が開口した挿入孔を有すると共にその挿入孔に前記杖本体の大径側の端部を挿入して取り付けられた握り部と、前記挿入孔内に充填されて前記握り部と前記杖本体とを接着する接着剤と、前記挿入孔の開口部を閉塞する環状のシール部材によって構成したことを特徴とする杖。
【請求項２】
前記シール部材をゴムによって形成した請求項１に記載の杖。
【請求項３】
前記シール部材を金属部材によって形成した請求項１に記載の杖。
【請求項４】
前記杖本体の外周面と前記挿入孔の内周面の少なくとも一方に、前記シール部材を嵌め込むための環状の凹部を形成した請求項１から３のいずれか１項に記載の杖。
【請求項５】
前記杖本体の大径側の端面と前記挿入孔の底面との間に弾性部材を介在させた請求項１から４のいずれか１項に記載の杖。
【考案の詳細な説明】
【技術分野】
【０００１】
本考案は、歩行補助用の杖に関する。
【背景技術】
【０００２】
例えば特許文献１には、ゴルフクラブを使用して製造された歩行補助用の杖が開示されている。この杖は、ゴルフクラブのヘッド部を除去し、残ったシャフトの両端に握り部と石突きを取り付けることによって構成されている。
【特許文献１】実登３０５９６５３号公報
【考案の開示】
【考案が解決しようとする課題】
【０００３】
ところで、ゴルフクラブのシャフトには、一端部から他端部へテーパ状に縮径したシャフトが多く使用されている。図７に示すように、テーパ状に形成されたシャフト１００の大径側の端部に、杖用の握り部２００を取り付ける場合、握り部２００に形成された挿入孔３００と、挿入孔３００に挿入されたシャフト１００の端部との間に隙間ができるため、握り部２００をシャフト１００の端部に安定して確実に取り付けることができなかった。
【０００４】
そこで、本考案は斯かる実情に鑑み、杖本体の大径側の端部に握り部を安定して確実に取り付けた杖を提供しようとするものである。
【課題を解決するための手段】
【０００５】
請求項１の考案は、一端部から他端部へテーパ状に縮径したカーボン製ゴルフクラブのシャフトによって形成した杖本体と、一端が開口した挿入孔を有すると共にその挿入孔に前記杖本体の大径側の端部を挿入して取り付けられた握り部と、前記挿入孔内に充填されて前記握り部と前記杖本体とを接着する接着剤と、前記挿入孔の開口部を閉塞する環状のシール部材によって構成した杖である。
【０００６】
杖本体の大径側の端部と握り部の挿入孔との隙間に、接着剤及び環状のシール部材を介在させたことによって、握り部を杖本体に安定して確実に取り付けることができる。また、シール部材によって、挿入孔の開口部を閉塞しているため、挿入孔に充填した接着剤が外部に漏洩するのを防止できる。
【０００７】
請求項２の考案は、請求項１に記載の杖において、前記シール部材をゴムによって形成したものである。
【０００８】
シール部材をゴムによって形成したことによって、ゴムの弾性によりシール部材の装着が容易になると共に、挿入孔の開口部の密閉度を高めることが可能である。
【０００９】
請求項３の考案は、請求項１に記載の杖において、前記シール部材を金属部材によって形成したものである。
【００１０】
シール部材を金属部材で形成することによって、シール部材の剛性が高くなり、杖本体に対する握り部の取付安定性が向上する。
【００１１】
請求項４の考案は、請求項１から３のいずれか１項に記載の杖において、前記杖本体の外周面と前記挿入孔の内周面の少なくとも一方に、前記シール部材を嵌め込むための環状の凹部を形成したものである。
【００１２】
シール部材を環状の凹部に嵌め込むことによって、シール部材の装着安定性が向上し、シール部材が脱落することを防止することができる。
【００１３】
請求項５の考案は、請求項１から４のいずれか１項に記載の杖において、前記杖本体の大径側の端面と前記挿入孔の底面との間に弾性部材を介在させたものである。
【００１４】
杖本体の大径側の端面が、軸方向に対して傾斜した面や、凹凸状の不整形な面に形成されていても、杖本体の大径側の端面と挿入孔の底面との間に弾性部材を介在させることによって、杖本体と握り部を安定して取り付けることができる。
【考案の効果】
【００１５】
本考案の杖によれば、杖の材料として、これまで使用が困難であったゴルフクラブのテーパ状のシャフトを使用することができる。これにより、杖の製造コストを軽減することができると共に、不要となったゴルフクラブの有効な再利用を図り得る。また、杖本体をカーボン製のシャフトで形成しているので、軽量かつ高強度な杖を実現可能である。
【考案を実施するための最良の形態】
【００１６】
図１は本考案の第１実施形態に係る杖の全体構成図、図２は図１に示す杖の要部を拡大した断面図である。以下、図１及び図２に基づいて、本考案の第１実施形態の構成について説明する。
【００１７】
図１に示すように、本考案の杖は、棒状の杖本体１と、杖本体１の先端部１ａに取り付けた石突き２と、杖本体１の基端部１ｂに取り付けた握り部３を備える。なお、握り部３は図１に示す形状のものに限らない。また、石突き２は、ゴム製又は金属製、あるいはそれ以外の材質のものを適用可能である。
【００１８】
杖本体１は、一端部から他端部へテーパ状に縮径したカーボン製のゴルフクラブのシャフトによって形成されている。図１に示すように、石突き２は杖本体１の小径側の端部１ａに取り付けられ、握り部３は杖本体１の大径側の端部１ｂに取り付けられている。
【００１９】
図２に示すように、握り部３には一端が開口した挿入孔４が形成され、この挿入孔４に杖本体１の大径側の端部１ｂが挿入されている。杖本体１の大径側の端部１ｂを挿入孔４に挿入しやすいように、挿入孔４の径（内径）Ｄ４は、杖本体１の大径側の端部１ｂの最大径（外径）Ｄ１以上となるように設定されていることが好ましい。
【００２０】
また、挿入孔４内に接着剤５が充填されており、接着剤５によって杖本体１と握り部３が接着されている。この実施形態では、接着剤５として樹脂製のものを使用しているが、それ以外の接着剤を使用することも可能である。
【００２１】
挿入孔４の開口部側には、環状のシール部材６が挿入されている。シール部材６は、挿入孔４を形成する内周面と杖本体１の大径側の端部１ｂの外周面との間に介在しており、シール部材６によって挿入孔４の開口部が閉塞されている。シール部材６は、ゴムや金属製の部材等によって構成されている。
【００２２】
次に、本考案の第２実施形態の構成について説明する。
図３は、本考案の第２実施形態に係る杖の要部を拡大した断面図である。なお、第２実施形態に係る杖の全体構成は、図１に示す第１実施形態と同様であり、図３において、図１又は図２と同じ符号は同じ部材を示す。図３に示すように、第２実施形態に係る杖は、杖本体１の外周面にシール部材６を嵌め込むための環状の凹部７が形成されている。
【００２３】
図４は、本考案の第３実施形態に係る杖の要部を拡大した断面図である。第３実施形態に係る杖の全体構成も、図１に示す第１実施形態と同様であり、図４において、図１又は図２と同じ符号は同じ部材を示す。図４に示すように、第３実施形態に係る杖は、挿入孔４の内周面にシール部材６を嵌め込むための環状の凹部８を形成している。
【００２４】
また、杖本体１の外周面及び挿入孔４の内周面の両方に、シール部材６を嵌め込むための環状の凹部を形成してもよい（図示省略）。
【００２５】
図５（Ａ）（Ｂ）に、本考案の第４実施形態に係る杖の構成を示す。図５（Ａ）は、挿入孔４への杖本体１の挿入を完了する前の状態を示す断面図、図５（Ｂ）は、挿入孔４への杖本体１の挿入を完了した状態を示す断面図である。なお、第４実施形態に係る杖の全体構成も、図１に示す第１実施形態と同様であり、図５（Ａ）（Ｂ）において、図１又は図２と同じ符号は同じ部材を示す。図５（Ａ）に示すように、第４実施形態に係る杖は、挿入孔４の底面４ａに弾性部材９を配設している。また、図５（Ｂ）に示すように、挿入孔４への杖本体１の挿入を完了した状態において、弾性部材９は杖本体１の大径側の端面Ｚと挿入孔４の底面４ａとの間に介在するようになっている。
【００２６】
以下、本考案に係る杖の製造方法について説明する。
まず、テーパ状に形成されたカーボン製のシャフトを有するゴルフクラブを用意する。そのゴルフクラブのヘッドを除去して杖本体１を作成する。杖本体１の大径側の端部１ｂを握り部３の挿入孔４に挿入し、挿入孔４内に接着剤５を充填する。その後、接着剤５が固化した後、環状のシール部材６を杖本体１の小径側の端部１ａから大径側の端部１ｂと挿入孔４との間に挿入して、挿入孔４の開口部を閉塞する。そして、杖本体１の小径側の端部１ａに石突き２を取り付けて本考案の杖が完成する。
【００２７】
また、ゴルフクラブのシャフトには、一般的にテープ状の牛革等を巻き付けたグリップ部が形成してあるが、杖本体１を作成する際、このグリップ部は全部除去してもよいし、残しておいてもよい。例えば、握り部３の挿入孔４の径が、杖本体１（シャフト）の大径側の端部１ｂの径よりかなり大きい場合は、大径側の端部１ｂのグリップ部を残しておくことにより、握り部３を杖本体１に取り付けた際の取付安定性を確保することができる。
【００２８】
本考案に係る杖の別の製造方法について説明する。
上記と同様に、ゴルフクラブのシャフトによって杖本体１を作成する。次いで、杖本体１の大径側の端部１ｂの外周にシール部材６を装着する。このシール部材６の装着位置は、後で大径側の端部１ｂを握り部３の挿入孔４に挿入した際に、その大径側の端部１ｂの挿入孔４に収容される部分であって、挿入孔４の開口部に近接した位置が好ましい。シール部材６の装着後、杖本体１の大径側の端部１ｂを上に向け、大径側の端部１ｂのシール部材６の装着位置より上側の外周面に接着剤５を塗布する。この場合、シール部材６は、垂れてくる接着剤５をせき止めるせき止め部材として機能する。そして、接着剤５が固化する前に、杖本体１の大径側の端部１ｂを握り部３の挿入孔４に挿入する。このとき、大径側の端部１ｂに装着したシール部材６によって、挿入孔４の開口部が閉塞される。また、杖本体１の小径側の端部１ａに石突き２を取り付ける。その後、接着剤５が固化することによって、杖本体１と握り部３が接着され、杖が完成する。
【００２９】
本考案の杖は、杖本体１の大径側の端部１ｂと握り部３の挿入孔４との隙間に、接着剤５及び環状のシール部材６を介在させたことによって、握り部３を杖本体１に安定して確実に取り付けることができる。また、シール部材６によって、挿入孔４の開口部を閉塞しているため、挿入孔４に充填した接着剤５が外部に漏洩するのを防止できる。
【００３０】
シール部材６をゴムによって形成した場合は、ゴムの弾性によりシール部材６の装着が容易になると共に、挿入孔４の開口部の密閉度を高めることが可能である。また、シール部材６を金属部材で構成した場合は、シール部材６の剛性が高くなり、杖本体１に対する握り部３の取付安定性が向上する。
【００３１】
図３又は図４に示すように、シール部材６を凹部７又は８に嵌め込むことによって、シール部材６の装着安定性が向上し、シール部材６が脱落することを防止することができる。特に、この構成は、シール部材６を金属部材によって構成した場合に、そのシール部材６の装着安定性を向上させるために有効である。
【００３２】
また、上記本考案に係る杖の製造工程において、ゴルフクラブのシャフトを所望の長さに適宜切断してもよい。シャフトの切断面が杖本体１の大径側の端面となる場合、その大径側の端面が軸方向に対して傾斜したり、凹凸状の不整形な面に形成されたりすることがある。杖本体１を握り部３の挿入孔４に挿入した際、杖本体１の傾斜等した端面が挿入孔４の底部に直接当接すると安定して着座できない虞がある。そこで、図５（Ａ）（Ｂ）に示すように、杖本体１の大径側の端面Ｚと挿入孔４の底面４ａとの間に弾性部材９を介在させることによって、杖本体１の大径側の端面Ｚが傾斜した面や不整形な面に形成されていても、弾性部材９がその端面Ｚの形状に応じて変形するので、安定して着座させることができる。これにより、杖本体１と握り部３を安定して取り付けることが可能である。
【００３３】
本考案によれば、杖の材料として、これまで使用が困難であったゴルフクラブのテーパ状のシャフトを使用することができる。これにより、杖の製造コストを軽減することができると共に、不要となったゴルフクラブの有効な再利用を図り得る。また、杖本体をカーボン製のシャフトで形成しているので、軽量かつ高強度な杖を実現可能である。
【００３４】
また、以下に、上記本考案と別の考案であって、ゴルフクラブのシャフトを、種々の用途に使用できる万能棒として適用した例を挙げる。図６（Ａ）に示すように、万能棒は、棒状の柄部１０と、その枝部１０の先端に取り付けられた操作部１１によって構成されている。この実施例では、操作部１１を鍔付きのキャップとしている。また、操作部１１を、図６（Ｂ）に示すリング状、図６（Ｃ）に示すフック状、図６（Ｄ）に示す一対のアーム状に形成することも可能である。また、図６に示す種々の形状の操作部１１を枝部１０の先端に着脱可能に構成し、用途に応じて操作部１１を付け替えできるようにしてもよい。
【００３５】
上記枝部１０は、ゴルフクラブのシャフトによって構成されている。このゴルフクラブのシャフトは、テーパ状に形成されたシャフト又は、ストレート状に形成されたシャフトのいずれでもよい。また、ゴルフクラブのシャフトは、用途に応じた長さに適宜切断してもよい。図６では、シャフトを２分の１程度に切断して枝部１０として使用している。
【００３６】
上記万能棒の使用方法について説明する。
眼鏡、新聞、リモコン等の必要な物が手の届かないところにある場合、万能棒の枝部１０を把持し、例えば図６（Ａ）、（Ｂ）又は（Ｃ）に示す操作部１１によって必要な物を引っ掛ければ、それを手の届くところまで引き寄せることができる。また、操作部１１でテレビなどのスイッチを押したりすることも可能である。また、図６（Ｃ）に示すアーム状の操作部１１によって、摘みなどを挟んで回したりすることも可能である。
【００３７】
このように、上記万能棒は、操作部１１の形状を変えることによって、種々の用途に使用することが可能である。
【００３８】
また、上記万能棒は、その材料として不要となったゴルフクラブのシャフトを使用することができるため、製造コストの軽減及び資源の有効な再利用を図ることができる。
【図面の簡単な説明】
【００３９】
【図１】本考案の第１実施形態に係る杖の全体構成図である。
【図２】前記杖の要部を拡大した断面図である。
【図３】本考案の第２実施形態に係る杖の要部を拡大した断面図である。
【図４】本考案の第３実施形態に係る杖の要部を拡大した断面図である。
【図５】本考案の第４実施形態に係る杖の要部を拡大した断面図であって、（Ａ）は挿入孔への杖本体の挿入を完了する前の状態を示す図、（Ｂ）は挿入孔への杖本体の挿入を完了した状態を示す図である。
【図６】（Ａ）はゴルフクラブのシャフトを万能棒として適用した例を示す全体構成図、（Ｂ）（Ｃ）（Ｄ）は前記万能棒の先端に設けた操作部の変形例を示す図である。
【図７】杖本体の大径側の端部と握り部との取付状態を説明するための断面図である。
【符号の説明】
【００４０】
１    杖本体
１ａ  小径側の端部
１ｂ  大径側の端部
２    石突き
３    握り部
４    挿入孔
５    接着剤
６    シール部材
７    凹部
８    凹部
９    弾性部材
【図１】
0003146986.tif 000003
【図２】
0003146986.tif 000004
【図３】
0003146986.tif 000005
【図４】
0003146986.tif 000006
【図５】
0003146986.tif 000007
【図６】
0003146986.tif 000008
【図７】
0003146986.tif 000009